(57)【特許請求の範囲】
【請求項１】
宝飾品リング（１）を作製するための方法であって、その宝飾品リング（１）は、
固有の密度ρ１を有する貴金属または貴金属合金でできたスリーブ状または環状の基材（２）を備え、スリーブ状または環状の基材（２）が、指と接触することが意図された内部の内側面（３）と、外側面（４）と、２つの横方向の面（５、６）と、指を入れるための中央の空洞（７）とを有する宝飾品リング（１）であって、
繊維（９）の束（８）が、外側面（４）の少なくとも一部上で複数回巻かれて巻き付けられ、この場合
Ａ）繊維（８）は、ρ２＜ρ１の固有の密度のプラスチック接着剤を利用して互いに接続され、
Ｂ）繊維（８）は、ρ３＜ρ１の固有の密度を有しており、
ａ）透明なプラスチック接着剤によって繊維（９）の束（８）を湿潤するステップと、
ｂ）プラスチック接着剤によって処理された束（８）の始まりをスリーブ状または環状の基材（２）に固定するステップと、
ｃ）束（８）を宝飾品リング（１）の外側面（４）上に巻き付けるステップと、
ｄ）巻き付けた束（８）を宝飾品リング（１）に押圧するステップと、
ｅ）プラスチック接着剤を硬化させるステップと、
ｆ）最外周部の繊維（９）を研磨するステップと
を特徴とする、方法。
【請求項２】
プラスチック接着剤が硬化剤と混合されたエポキシ樹脂を備えることを特徴とする、請求項１に記載の方法。
【請求項３】
束の始まりが、ノットとして形成される接続部によって取り付けられることを特徴とする、請求項１または２に記載の方法。
【請求項４】
束が、外側面（４）内に設置された溝またはへこみの中に巻き付けられることを特徴とする、請求項１から３のいずれか一項に記載の宝飾品リング（１）を作製するための方法。
【請求項５】
束が巻き付けられる前に撚られることを特徴とする、請求項１から４のいずれか一項に記載の方法。
【発明の詳細な説明】
【技術分野】
【０００１】
本発明は、請求項１のプリアンブルによる宝飾品リングおよび請求項６のプリアンブルによるその作製方法に関する。
【背景技術】
【０００２】
宝飾品リングは、たいていは貴金属の金、プラチナ、パラジウムおよびそれらの合金から精巧に作られ、これらはそれぞれの腐食耐性によって特徴付けられており、また極めて長期間にわたって金属の完全な表面も保証する。
【０００３】
このような貴金属宝飾品リングの欠点は一方で高い材料費であり、もう一方では使用される金属が極めて高い固有の密度を有する結果としてその高い絶対重量であり、詳細には、広範な重要な実施形態について言えば、これは装着時の快適さに悪影響を与える可能性がある。
【発明の概要】
【発明が解決しようとする課題】
【０００４】
本発明はこれを改善しようとしている。本発明の目的は、これらの欠点を克服し、それと同時に高い腐食耐性、最適な表面特性、および宝飾品リングの有利な全体の視覚的外観を維持する、またはさらには改善する宝飾品リングおよびその作製方法を提供することである。
【課題を解決するための手段】
【０００５】
本発明は、請求項１による特徴を有する宝飾品リング、および請求項６の特徴を有するその作製方法に関して記載される目的を達成する。
【０００６】
本発明によって達成される利点は、本発明によるデバイスによって、
高い腐食耐性が維持される、
宝飾品リングに要求される物理的な、詳細には視覚的な表面特性が維持される、
表面が少なくとも部分的に絹のような光沢を見せる、
表面が三次元の奥行き効果を有する、
宝飾品リングの平均的な固有の密度が、純金属リングと比べて著しく低い、
宝飾品リングの総重量が、純金属リングと比べて著しく軽い、
宝飾品リングを作製するための材料費が大幅に低減する点において基本的に見いだされる。
【０００７】
貴金属基材の密度ρ１は、純粋な貴金属ＡＵ（１９．３ｇ／ｃｍ３）、プラチナ（２１．４ｇ／ｃｍ３）またはパラジウム（１２．０ｇ／ｃｍ３）に関する密度、またはこれらの貴金属の標準的な合金の密度に相当する。プラスチック接着剤の密度ρ２は典型的には１．２〜１．６ｇ／ｃｍ３の範囲内にあり、繊維の密度ρ３は典型的には１．３〜１．８ｇ／ｃｍ３の範囲内にあり、すなわち貴金属基材の密度ρ１より著しく小さい。
【０００８】
本発明の付加的な有利な実施形態は、以下のように解説することができる。
【０００９】
繊維の束は有利には、いわゆる粗糸であり、この粗糸の繊維は撚られている。一実施形態において、繊維の束は、束の長さの１〜１０ｃｍ、好ましくは２〜４ｃｍについて１つの撚りを有する。宝飾品リングの外側面は、１つまたは複数のへこみを有する場合があり、その中にこの束がセットされる。これらのへこみの深さは、０．４〜１．０ｍｍの範囲内にあってよい。
【００１０】
スリーブ状または環状の基材もまた、様々なサイズの外径を有する少なくとも２つの部分を有することができ、この場合より小さい外径を有する部分は、基本的に最も大きい外径を有する部分の外径上にある束を利用して配置することができる。
【００１１】
透明のプラスチック接着剤は有利には、エポキシ樹脂であり、繊維は炭素でできている。
【００１２】
特定の一実施形態において、巻き付けの回数は１００回を超える、好ましくは１５０回を超える。
【００１３】
炭素繊維は好ましくは、４．５〜８μｍ、好ましくは５．５〜７μｍの範囲内の直径を有する。
【００１４】
束の長さは、少なくとも３ｍ、好ましくは少なくとも４ｍであってよい。束の長さは、最大でも６ｍ、好ましくは最大でも７ｍであってよい。
【００１５】
特定の一実施形態において、炭素繊維の束は、少なくとも５００個の個々の繊維、好ましくは少なくとも８００個の個々の繊維を有する。炭素繊維の束は、最大でも１２００個、好ましくは最大でも１５００個の個々の繊維を有する可能性がある。
【００１６】
特定の一実施形態において、繊維は個々にまたは二重に強化される。
【００１７】
宝飾品リングにあるくぼみは、直線と、波形の設計の両方を有する場合がある。
【００１８】
特定の一実施形態において、最も大きな外径を有する部分の外径を有する島に似た領域が、より小さな外径を有する部分の中に残される場合がある。
【００１９】
本発明による宝飾品リングを作製するための方法は、以下の方法ステップ、すなわち
ａ）透明なプラスチック接着剤によって繊維の束を湿潤するステップと、
ｂ）プラスチック接着剤によって処理された束の始まりをスリーブ状の環状基材に固定するステップと、
ｃ）束を宝飾品リングの外側面上に巻き付けるステップと、
ｄ）巻き付けた束を宝飾品リングに押圧するステップと、
ｅ）プラスチック接着剤を硬化させるステップと、
ｆ）最外周部の繊維を研磨するステップとによって特徴付けられる。
【００２０】
プラスチック接着剤は好ましくは、硬化剤と混合されたエポキシ樹脂であり、これは、詳細にはビスフェノールＡおよび／またはビスフェノールＦベースの樹脂を含有する。エポキシ樹脂の粘度は有利には、２５℃で３５０〜４５０ｍＰａの範囲内にある。
【００２１】
エポキシ樹脂のための硬化剤は好ましくは、脂環式アミンである。硬化剤の粘度は、適切には２５℃で１８０〜２３０ｍＰａの範囲内である。
【００２２】
エポキシ樹脂の硬化作用は典型的には、５５〜６５℃の温度で２．５〜３．５時間の期間の間に行なわれる可能性がある。
【００２３】
束の始まりは、ノットとして形成される接続部によって適切に固定されてよい。束の巻付作業は有利には、宝飾品リングの外側面に形成された溝またはへこみの中で行なわれる。束は有利には、巻き付けられる前にその長手方向軸を中心として撚られる。
【００２４】
特定の一実施形態において、溝は束を固定する前に好ましくは研磨工具を利用して粗仕上げされ、その結果エポキシ樹脂による改良された接着作業が実現される。
【００２５】
方法のステップｃ）における巻付作業は、宝飾品リングを回転させることによって行なうことができる。
【００２６】
方法のステップｄ）における押圧作業は有利には、加熱されると縮むことになる熱収縮性の管材料を利用して行なうことができる。いったん押圧された熱収縮性の管材料は、再び取り除くことができる。最外周部の繊維は、旋盤上で適切に研磨されてよい。
【００２７】
特定の一実施形態において、巻付作業は、束が溝の外周を突き出るようにして行なわれる。これにより溝が完全に埋められることを保証する。
【００２８】
方法のステップｃ）における巻付作業は好ましくは、手作業で行なわれる。この方法において、炭素繊維は、リングの形状に固有に適合させる、あるいは「島」を迂回して包み込むことができる。束はまた、リングの回転方向に対して角度アルファ＞０°で外側面上に巻き付けられてよい。束はまた、リングの回転方向に対してジグザグ状になるように外側面上に巻き付けられる場合もある。
【００２９】
特定の一実施形態において、宝飾品リングより大きな外径を有する円形のリング状のディスクが、横方向の面の一方または両面に一時的に固定される場合がある。このような措置によって、束がリングの横方向の面を超えて巻き付けられるのを阻止する。
【００３０】
基材を形成する貴金属と炭素繊維との重量比は有利には、１３：１〜５：１の範囲内に及ぶ可能性がある。
【００３１】
本発明および本発明の改善点を、複数の例示の実施形態の部分的な概略図に基づいてさらにより詳細に説明する。
【図面の簡単な説明】
【００３２】
【図１】本発明による宝飾品リングの一実施形態の斜視図である。
【図２】図１による宝飾品リングの断面図である。
【図３】宝飾品リングのブランクの断面図である。
【図４】本発明による宝飾品リングの別の実施形態に関するブランクの斜視図である。
【図５】本発明による宝飾品リングの別の実施形態の斜視図である。
【図６】図５に見られる本発明による宝飾品リングの実施形態のブランクの斜視図である。
【図７】図５に見られる本発明による宝飾品リングの実施形態の断面斜視図である。
【発明を実施するための形態】
【００３３】
図１および図２に描かれる宝飾品リング１は、周辺部の円周方向の溝１０を有するパラジウムでできた環状の基材２で構成されており、１．５ｇ／ｃｍ３の固有の重量および６μｍの直径を有する炭素でできた軸方向に撚られた繊維９の束８から成る粗糸が、おおよそ１８０〜２００回巻かれて巻き付けられる。
【００３４】
繊維９は、透明なエポキシ樹脂接着剤を利用して互いに、および溝１０に対して接着される。最外周部の繊維９は研磨される。束８の表面は特徴的な絹のような光沢を有する。
【００３５】
図３は、宝飾品リング１の別の実施形態のブランクの断面図を示しており、そこでは溝１０は、片側に拘束されない。粗糸の巻付作業を容易にするために、ほぼブランクの右側に相当する直径を有するワッシャが、作製時に溝１０の左（開放した）側に固定される、または押圧される。
【００３６】
図４は、宝飾品リング１の別の実施形態のブランクを描いている。このブランクは、周辺部の円周方向の溝１０に島に似た領域１１が備わっている点においてのみ図１および図２に描かれる実施形態と異なる。これらの島に似た領域１１は、ブランクの半径に直交するレンズ状の横断面を有することができ、外側の面４から溝１０の底部まで延在することができる。繊維９（描写されていない）は、より小さな外径を有する外側面４上で回転方向に対してジグザグ状になるように島に似た領域１１を迂回して巻き付けられる。
【００３７】
図５から図７を通して、これもまた宝飾品リング１の別の実施形態を描いており、これは、溝１０およびしたがって繊維９の束８が、２つの側面５、６の間でより広い幅を呈する点においてのみ図１および図２に描かれる実施形態と異なっている。
【００３８】
上記に記載したように本発明の種々の実施形態が存在するが、これらは、種々の特徴が単独で、ならびに任意の組み合わせの両方において使用され得るという意味において理解されるべきである。
【００３９】
よって本発明は、単に上記に挙げた特定の好ましい実施形態に限定されるものではない。
【図１】
0006275160.tif 000002
【図２】
0006275160.tif 000003
【図３】
0006275160.tif 000004
【図４】
0006275160.tif 000005
【図５】
0006275160.tif 000006
【図６】
0006275160.tif 000007
【図７】
0006275160.tif 000008